(57)【要約】【課題】リアルタイムに駐車料金の変更を可能とすると共に、各駐車場の事情に応じて設置コストを調節することができる駐車場用表示装置を提供する。【解決手段】表示装置１は、駐車料金等を表示させる装置であって、複数の矩形状の表示ユニット２が縦横に複数組み合わされた表示部３と、その表面を覆う透明の窓部４を有する蓋部材５と、これらを保持するフレーム６とを有する。表示装置１は、表示ユニット２を縦横に複数組み合わせて保持部７に設置可能であり、最大で横３枚、縦５枚（３列、５行）の表示ユニット２を取り付け可能である。本実施形態では、上から３行目と５行目の部分の表示ユニット２を装着せず、代替部材の板部材８を装着する。板部材８は表示ユニット２に比べてコストが極めて低いため、コストの調節が可能となる。また、蓋部材５に、板部材８に重なるように第二の板部材８ａを設けてもよい。【選択図】図２
2020003743.tif 000002
【特許請求の範囲】
【請求項１】
電子表示器を備えた正面視で矩形状の表示ユニットを、縦横に組み合わせて構成される表示部と、
複数の前記表示ユニットをそれぞれ着脱自在に保持する保持部と、
前記表示ユニットに替えて設置可能であり、前記表示ユニットよりも設置コストの低い代替部材とを備え、
前記表示ユニットが必要な箇所には、前記保持部の該当箇所に前記表示ユニットを固定すると共に、
前記表示ユニットが不要な箇所には前記代替部材を配置することを特徴とする駐車場用表示装置。
【請求項２】
請求項１に記載の駐車場用表示装置であって、
前記保持部の表面に透明の窓部が装着されることを特徴とする駐車場用表示装置。
【請求項３】
請求項１又は２に記載の駐車場用表示装置であって、
前記代替部材は、前記表示ユニットと共通する固定構造を備え、前記保持部の前記表示ユニットの取り付け位置に固定されることを特徴とする駐車場用表示装置。
【請求項４】
請求項２に記載の駐車場用表示装置であって、
前記代替部材は、前記窓部の前記表示ユニットが固定されていない箇所を覆う部分に装着されることを特徴とする駐車場用表示装置。
【請求項５】
請求項１乃至４のいずれか１項に記載の駐車場用表示装置であって、
前記代替部材は、縦横に複数組み合わされた前記表示ユニットの１行分の領域を占める形状に形成されていることを特徴とする駐車場用表示装置。
【発明の詳細な説明】
【技術分野】
【０００１】
本発明は、時間貸し駐車場等において、駐車料金等の表示を行う表示装置に関する。
【背景技術】
【０００２】
従来の駐車場の料金表示板は、固定表示が一般的であり、一度駐車料金を設定した後は料金を変動させる必要はなかった。一方で、近隣に低料金の駐車場ができた場合等、現在の料金を維持することが困難な場合は、固定表示された料金表示の上に、新たな料金が表示されたシールを重ねて貼り付け、料金を改定することが行われていた。
【０００３】
また、近年では、駐車場の数が増えて駐車場同士の競争が発生したため、駐車場の管理会社では、定期的に近隣の駐車場を見回って料金を調査し、必要に応じて料金表示を変更することも行われている。この場合、比較的剥がしやすいシールの料金表示を既存の料金表示に貼り付ける等の方式で料金表示の変更が行われている。
【０００４】
しかしながら、このような料金表示の変更は、人手が必要であり、表示の変更にも手間がかかるため、好ましくない。そこで、本願発明者等は、駐車場の料金表示をリアルタイムで変更させることができるシステムを提案している（特許文献１参照）。
【先行技術文献】
【特許文献】
【０００５】
【特許文献１】特許第５９８８１８５号公報
【発明の概要】
【発明が解決しようとする課題】
【０００６】
上記特許文献１に記載のシステムは、電光掲示板又は液晶表示板に駐車場の名称、駐車区画表示、及び料金が表示される（特許文献１の図１１参照）。このため、駐車料金の変更を行う際にも、人手を介することなく、任意の時間にリアルタイムに駐車料金の変更を行うことができる。
【０００７】
一方で、このような電光掲示板又は液晶表示板は、表示領域を広く確保するとそれだけ費用がかかる。駐車場においては、立地条件等の諸条件から、このようにコストをかけてもリアルタイムに任意の表示を行うことを望む駐車場のオーナーもいれば、できる限りコストを抑えたいと考えるオーナーもいる。
【０００８】
このような多様なニーズに応えるためには、複数の仕様の表示板を準備すればよいが、この場合、複数の仕様の表示板を設計する必要があり、各仕様についての在庫も必要となることから、製造コストや在庫の管理等を考慮すると好ましくない。
【０００９】
本発明は、上記課題を解決するために、リアルタイムに駐車料金の変更を可能とすると共に、各駐車場の事情に応じて設置コストを調節することができる駐車場用表示装置を提供することを目的とする。
【課題を解決するための手段】
【００１０】
上記目的を達成するために、本発明の駐車場用表示装置は、電子表示器を備えた正面視で矩形状の表示ユニットを、縦横に組み合わせて構成される表示部と、複数の前記表示ユニットをそれぞれ着脱自在に保持する保持部と、前記表示ユニットに替えて設置可能であり、前記表示ユニットよりも設置コストの低い代替部材とを備え、前記表示ユニットが必要な箇所には、前記保持部の該当箇所に前記表示ユニットを固定すると共に、前記表示ユニットが不要な箇所には前記代替部材を配置することを特徴とする。
【００１１】
本発明の駐車場用表示装置によれば、表示ユニットの数を多くすれば、それだけ任意に表示を変更できる情報量が増えるが、その分のコストも上昇する。一方で、駐車場によっては、表示変更可能な領域は少なくても良いがコストを抑えたいという状況も考えられる。本発明によれば、表示ユニットの数を駐車場のニーズに合わせて変更することができ、表示ユニットが不要な箇所には設置コストの低い代替部材を設置可能としている。このため、本発明では、様々な駐車場のニーズに合わせた駐車場用表示装置を提供することができる。
【００１２】
また、本発明の駐車場用表示装置において、前記保持部の表面に透明の窓部が装着されることが好ましい。当該構成によれば、表示ユニットが透明の窓部によって保護されるため、表示ユニットにＬＥＤや液晶パネル等の電子表示器を用いる場合であっても、表示ユニット自体に防水処理等をする必要がない。一方で、代替部材は、窓部の内部に設けることも、等部の外部に設けることも可能であり、駐車場のニーズに応じた対応が可能となる。なお、窓部は、後述する実施形態における窓部４が該当する他、保護板９も窓部に含まれる。
【００１３】
また、本発明の駐車場用表示装置において、前記代替部材は、前記表示ユニットと共通する固定構造を備え、前記保持部の前記表示ユニットの取り付け位置に固定されることが好ましい。当該構成によれば、代替部材は、表示ユニットと共通する固定構造を備えているので、表示ユニットの取り付け位置にそのまま代替部材を固定することができる。
【００１４】
また、本発明の駐車場用表示装置において、前記代替部材は、前記窓部の前記表示ユニットが固定されていない箇所を覆う部分に装着されるものとしてもよい。当該構成によれば、代替部材を窓部に取り付けるシールや単なる板部材のような構成とすることができるので、簡易な構成でコストを低減させることができる。
【００１５】
また、本発明の駐車場用表示装置において、前記代替部材は、縦横に複数組み合わされた前記表示ユニットの１行分の領域を占める形状に形成されていることが好ましい。本発明の駐車場用表示装置においては、構造上表示ユニットの１行分を代替部材にするか否かの選択をする可能性が高いので、代替部材を１行分の領域を占める形状に形成することにより、代替部材の設置が容易となる。
【図面の簡単な説明】
【００１６】
【図１】本発明の第一の実施形態である表示装置を示す説明図。
【図２】図１の表示装置の内部構造を示す説明図。
【図３】図１の表示装置の取付構造を示す説明図。
【図４】第一の実施形態で、保持部の全てに表示ユニットを取り付けた状態を示す説明図。
【図５】第二の実施形態の表示装置を示す説明図。
【発明を実施するための形態】
【００１７】
次に、図１乃至図４を参照して、第一の実施形態の駐車場用表示装置（以下「表示装置１」とする。）について説明する。表示装置１は、図１に示すように、駐車場に設置されて駐車料金等を表示させる装置であって、複数の矩形状の表示ユニット２が縦横に複数組み合わされてなる表示部３と、表示部３の表面を覆う透明の窓部４を有する蓋部材５と、表示部３及び蓋部材５とを保持するフレーム６とを有している。
【００１８】
表示装置１は、図２に示すように、フレーム６の内部に、表示ユニット２を着脱自在に保持する保持部７が設けられている。また、本実施形態では、保持部７の表面には透明なポリカーボネート製の保護板９が取り付けられており、表示ユニット２の表面が保護されている。
【００１９】
また、表示装置１においては、表示ユニット２を縦横に複数組み合わせて保持部７に設置が可能であり、具体的には、最大で横３枚、縦５枚（３列、５行）の表示ユニット２を取り付けることが可能となっている。本実施形態では、上から３行目の部分と５行目の部分には表示ユニット２を装着せず、表示ユニット２が不要な箇所には、その該当箇所に代替部材としての板部材８が装着される。
【００２０】
表示ユニット２は、電子表示器であるＬＥＤ（発光ダイオード）が複数配置されて、コントローラ（図示省略。以下同じ。）によって文字や図形等の表示を行うＬＥＤ表示パネルである。この表示ユニット２は、正面視で矩形状に形成されており、保持部７に装着され、保持部７の裏面で配線の接続がなされる。
【００２１】
本実施形態では、表示ユニット２は、１行に３個連続させたものを用いている。このように、横方向に３個並べられた表示ユニット２を、保持部７の上から１行目、２行目、及び４行目に取り付けられている。従って、本実施形態では、表示装置１の１台について、９個の表示ユニット２が用いられている。
【００２２】
板部材８は、塗装された金属板により形成されており、ＬＥＤ等は取り付けられていない。また、この板部材８は、表示ユニット２の１行分を占める大きさに合わせて形成されている。この板部材８は、表示ユニット２に替えて設置可能であり、この板部材８を１枚用いることにより、コスト的にはほぼ表示ユニット２の３台分のコストが削減される。本実施形態では、２行分の表示ユニット２が削減されており、合計６台分の表示ユニット２のコストが削減されている。
【００２３】
蓋部材５は、塗装された金属板により形成されており、中央部分が大きく開口している。窓部４は、透明のポリカーボネート板により形成されており、蓋部材５の開口部分の全面を覆っている。これらの蓋部材５及び窓部４は、表示装置１の仕様によって、材質や形状等を任意に変更することができる。
【００２４】
また、図１及び図２に示すように、第一の実施形態においては、フレーム６に固定される蓋部材５において、窓部４の一部を覆うように、代替部材として第二の板部材８ａが一体に形成されている。図２において、蓋部材５の表面の点線で囲まれている部分が第二の板部材８ａである。
【００２５】
具体的には、保持部７の３行目と５行目の部分の表面を覆うように第二の板部材８ａが配置されている。保持部７の５行目の部分の第二の板部材８ａは、蓋部材５の開口部分と一体化している。当該構成により、蓋部材５の表面からは、窓部４を介して保持部７の１行目、２行目及び４行目に設置された表示ユニット２が見える状態となっている。
【００２６】
板部材８は、図２に示すように、保持部７の表示ユニット２の取り付け位置に、図示しないビス等を用いて着脱自在に固定される。板部材８が保持部７に装着されると、図１に示すように、他の表示ユニット２が設けられているところと違和感なく窓部４内に収まる。
【００２７】
ここで、図３を参照して、表示ユニット２の固定構造と、板部材８の固定構造について説明する。図３においては、表示ユニット２及び板部材８の裏面側が図示されている。また、図３においては、保持部７の固定構造を示すため、図２の状態から４行目の表示ユニット２を取り外した状態を示している。
【００２８】
図３に示すように、各表示ユニット２の裏面には、取付用のビス（図示省略。以下同じ。）がねじ込まれるネジ穴２ａがそれぞれ４箇所設けられている。また、板部材８の裏面においても、表示ユニット２のネジ穴２ａと同様の位置に取付用のネジ穴８ｂが設けられている。一方、保持部７においては、これらのネジ穴２ａ，８ｂに対面する部分に、ビスが貫通可能な固定穴７ａが設けられている。
【００２９】
このように、本実施形態の表示装置１によれば、保持部７に対して、表示ユニット２と板部材８は、共通する固定構造を備えているので、どちらを固定する場合でも取り付け作業が容易である。また、板部材８を使用していたが、後に表示ユニット２に置き換えるような事情が生じた場合であっても、加工等を必要とすることなく交換が可能である。
【００３０】
ここで、図１に戻って説明すると、本実施形態の表示装置１は、窓部４において、保持部７の１行目、２行目、及び４行目に設置された表示ユニット２を見ることができ、板部材８は第二の板部材８ａによって隠されている。
【００３１】
表示ユニット２においては、時間帯及び駐車料金等の駐車場に関する表示がなされている。１行目及び２行目には、駐車をする時間帯によって異なる料金が表示されている。４行目には、１２時間で最大の料金が表示されている。また、２列目と３列目で料金が異なっているが、２列目は平日料金、３列目は休日料金を表している。これらの表示ユニット２における表示は、コントローラによって任意に表示を変更することができる。
【００３２】
一方で、第二の板部材８ａは、表面に印刷等をすることにより、表示の変更を必要としない情報、例えば、駐車場の使用の際の注意事項等を記載することができる。従って、この第二の板部材８ａが設置される領域に、表示の変更を必要としない表示を行うことにより、コストの高い表示ユニット２の設置数を減少させることができる。
【００３３】
本実施形態における保持部７は、図４に示すように、最大で５行分の表示ユニット２を設置することができるが、図１及び図２に示すように、３行分の表示ユニット２とすることで、２行分で６枚の表示ユニット２のコストを削減することができる。従って、例えば小さい規模の駐車場で、表示装置にコストをかけたくないオーナーに対して、柔軟にコストに応じた提案を行うことができる。
【００３４】
また、３行分の表示ユニット２とする場合であっても、例えば、保持部７の１行目〜３行目の部分に表示ユニット２を設置してもよく、２行目〜４行目の部分、或いは、１行目、３行目及び４行目に設置することができる。また、表示ユニット２は、上記のように３行分の設置のみならず、２行分の設置としてもよく、４行分或いは５行分の設置としてもよい。
【００３５】
或いは、保持部７において、表示ユニット２の配置を、行ではなく列の配置の一部を板部材８及び第二の板部材８ａに変更するようにしてもよい。例えば、保持部７における３列の設置場所のうち、１列目と３列目に表示ユニット２を設置してもよく、２列目と３列目に表示ユニット２を設置してもよい。このように、本実施形態の表示装置１においては、駐車場のオーナーの要望に応じて表示ユニット２の設置場所を自由に設定することができる。
【００３６】
また、本実施形態の表示装置１においては、各表示ユニット２の表示は、コントローラによって制御されており、このコントローラはネットワークを通じて外部からアクセス可能となっている。よって、駐車場の管理者が駐車料金を変更しようとした場合、外部からネットワークを通じてコントローラにアクセスし、各表示ユニット２の表示の変更を行えばよい。従って、従来のように、作業員が料金表示のシールを貼り替えるというような作業は発生しない。
【００３７】
このように、本実施形態の表示装置１によれば、リアルタイムに駐車料金の変更を可能とすると共に、各駐車場の事情に応じて設置コストを調節することができる駐車場用表示装置を提供することができる。なお、上記実施形態において、板部材８を金属板で形成しているが、これに限らず、合成樹脂等を用いて形成しても良い。また、窓部４をポリカーボネートで形成しているが、これに限らず、アクリル板等の他の透明な部材を用いてもよい。
【００３８】
ところで、第一の実施形態の表示装置１の場合、３行分の表示ユニット２を用いる場合と、その他の４行分又は５行分の表示ユニット２を用いる場合に、蓋部材５の形状が異なるため、蓋部材５については複数種類のものを準備する必要がある。しかしながら、第二の板部材８ａと蓋部材５とが一体に形成されているので、外見を重視する駐車場のオーナーの要望に応えることができる。
【００３９】
次に、図５を参照して、本発明の第二の実施形態の表示装置１１について説明する。第二の実施形態の表示装置１１は、代替部材としての板部材８のみが設けられており、蓋部材１５には第二の板部材８ａは設けられていない。一方で、表示ユニット２、窓部４、フレーム６、及び保持部７は第一の実施形態と同様の構成となっている。なお、図５においては、保護板９の図示を省略している。
【００４０】
第二の実施形態の表示装置１１は、蓋部材１５が窓部４の大きさとほぼ同じ大きさに開口されている。従って、窓部４の表面から表示部３の表示ユニット２、及び板部材８が視認される。板部材８は、表示ユニット２の表面と面一になるように取り付けられているため、第二の板部材８ａがない場合であっても違和感のない表示とすることができる。また、この板部材８の表面には、印刷等により駐車場の案内に関する表示等が可能である。
【００４１】
このように、第二の実施形態の表示装置１１においては、保持部７に取り付けられる表示ユニット２及び板部材８のいずれの組み合わせであっても、蓋部材１５は一種類の形状で足りるため、第一の実施形態に比較してさらにコストの削減を図ることができる。
【００４２】
なお、上記各実施形態においては、表示ユニット２の形状が、正面視で長方形状（矩形状）になったものを使用しているが、これに限らず、多少角部が円弧状になっているものや、斜めに面取りされていてもよい。
【００４３】
また、上記実施形態においては、保持部７の１行分に、表示ユニット２を３台連結させて固定しているが、これに限らず、表示ユニット２の長さが保持部７の１行分に相当するものを用いても良い。この場合、表示ユニット２の設置がさらに容易になる。
【００４４】
また、上記各実施形態において、例えば、表示ユニット２を３行分設置した表示装置１，１１を駐車場に設置した後、当該駐車場の利益が上がったために、駐車場のオーナーが表示装置１のさらなる高機能化を要望する場合がある。この場合、３行分の表示ユニットを４行分、或いは５行分に増やすことにより、表示装置１，１１において、機能の向上を図ることができる。このように、本発明の表示装置１，１１は、少ないコストで設置した場合であっても、容易に高機能化を図ることも可能となる。
【００４５】
また、上記各実施形態においては、表示ユニット２をＬＥＤ表示パネル、代替部材を板部材８としているが、これに限らず、表示ユニット２を液晶表示パネル、代替部材を液晶パネルよりコストの低いＬＥＤ表示パネルとしてもよい。このような電子デバイスの進歩は日進月歩であり、性能が同じであれば製品のコストは日に日に低下する傾向にある。
【００４６】
従って、上記各実施形態のように、ＬＥＤ表示パネルと板部材８との組み合わせではなく、液晶表示パネルとＬＥＤ表示パネルの組み合わせ、或いは液晶表示パネルと板部材８との組み合わせにすることも可能となる。
【００４７】
また、第二の板部材８ａは、上記第一の実施形態のように、蓋部材５と一体として設置することもできるが、別個の板部材を設置することもでき、或いは、ステッカーのような部材を窓部４に貼り付けるものであってもよい。また、第二の板部材８ａは、窓部４ではなく、保護板９に取り付けてもよい。
【００４８】
以上のとおり、本発明の駐車場表示装置によれば、駐車場の要求ニーズに合わせて、コストと性能とを考慮して、様々な組み合わせの装置を提供することができるため、全国各地の諸事情に応じた柔軟な表示装置を提供することができる。
【符号の説明】
【００４９】
１…表示装置、２…表示ユニット、２ａ…ネジ穴、３…表示部、４…窓部、５…蓋部材、６…フレーム、７…保持部、７ａ…固定穴、８…板部材（代替部材）、８ａ…第二の板部材（代替部材）、８ｂ…ネジ穴、９…保護板、１１…表示装置、１５…蓋部材。
【図１】
2020003743.tif 000003
【図２】
2020003743.tif 000004
【図３】
2020003743.tif 000005
【図４】
2020003743.tif 000006
【図５】
2020003743.tif 000007
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
電子表示器を備えた正面視で矩形状の表示ユニットを、縦横に組み合わせて構成される表示部と、
複数の前記表示ユニットをそれぞれ着脱自在に保持する保持部と、
前記表示ユニットに替えて設置可能であり、前記表示ユニットよりも設置コストの低い代替部材と、
前記保持部の表面に装着される透明の窓部とを備え、
前記表示ユニットが必要な箇所には、前記保持部の該当箇所に前記表示ユニットを固定すると共に、
前記表示ユニットが不要な箇所には、前記保持部に前記代替部材を装着することを特徴とする駐車場用表示装置。
【請求項２】
請求項１に記載の駐車場用表示装置であって、
前記代替部材は、前記表示ユニットと共通する固定構造を備え、前記保持部の前記表示ユニットの取り付け位置に固定されることを特徴とする駐車場用表示装置。
【請求項３】
請求項１又は２に記載の駐車場用表示装置であって、
前記代替部材は、縦横に複数組み合わされた前記表示ユニットの１行分の領域を占める形状に形成されていることを特徴とする駐車場用表示装置。
【請求項４】
電子表示器を備えた正面視で矩形状の表示ユニットを、縦横に組み合わせて構成される表示部と、
複数の前記表示ユニットをそれぞれ着脱自在に保持する保持部と、
前記保持部の表面に装着される透明の窓部と、
前記窓部の一部を覆うように設置され、前記表示ユニットよりも設置コストの低い第二の代替部材とを備え、
前記表示ユニットが必要な箇所には、前記保持部の該当箇所に前記表示ユニットを固定すると共に、
前記第二の代替部材を、前記窓部の前記表示ユニットが固定されていない箇所を覆う部分に装着したことを特徴とする駐車場用表示装置。
【請求項５】
請求項４に記載の駐車場用表示装置であって、
前記第二の代替部材は、縦横に複数組み合わされた前記表示ユニットの１行分の領域を占める形状に形成されていることを特徴とする駐車場用表示装置。
【手続補正２】
【補正対象書類名】明細書
【補正対象項目名】００１０
【補正方法】変更
【補正の内容】
【００１０】
上記目的を達成するために、本発明の駐車場用表示装置は、電子表示器を備えた正面視で矩形状の表示ユニットを、縦横に組み合わせて構成される表示部と、複数の前記表示ユニットをそれぞれ着脱自在に保持する保持部と、前記表示ユニットに替えて設置可能であり、前記表示ユニットよりも設置コストの低い代替部材と、前記保持部の表面に装着される透明の窓部とを備え、前記表示ユニットが必要な箇所には、前記保持部の該当箇所に前記表示ユニットを固定すると共に、前記表示ユニットが不要な箇所には、前記保持部に前記代替部材を装着することを特徴とする。
【手続補正３】
【補正対象書類名】明細書
【補正対象項目名】００１２
【補正方法】変更
【補正の内容】
【００１２】
また、本発明の駐車場用表示装置においては、前記保持部の表面に透明の窓部が装着されている。当該構成によれば、表示ユニットが透明の窓部によって保護されるため、表示ユニットにＬＥＤや液晶パネル等の電子表示器を用いる場合であっても、表示ユニット自体に防水処理等をする必要がない。
【手続補正４】
【補正対象書類名】明細書
【補正対象項目名】００１４
【補正方法】変更
【補正の内容】
【００１４】
また、本発明の駐車場用表示装置は、電子表示器を備えた正面視で矩形状の表示ユニットを、縦横に組み合わせて構成される表示部と、複数の前記表示ユニットをそれぞれ着脱自在に保持する保持部と、前記保持部の表面に装着される透明の窓部と、前記窓部の一部を覆うように設置され、前記表示ユニットよりも設置コストの低い第二の代替部材とを備え、前記表示ユニットが必要な箇所には、前記保持部の該当箇所に前記表示ユニットを固定すると共に、前記第二の代替部材を、前記窓部の前記表示ユニットが固定されていない箇所を覆う部分に装着したことを特徴とする。
当該構成によれば、第二の代替部材を窓部に取り付けるシールや単なる板部材のような構成とすることができるので、簡易な構成でコストを低減させることができる。一方で、第二の代替部材は、窓部の内部に設けることも、窓部の外部に設けることも可能であり、駐車場のニーズに応じた対応が可能となる。なお、窓部は、後述する実施形態における窓部４が該当する他、保護板９も窓部に含まれる。
【手続補正５】
【補正対象書類名】明細書
【補正対象項目名】００１５
【補正方法】変更
【補正の内容】
【００１５】
また、本発明の駐車場用表示装置において、前記代替部材又は前記第二の代替部材は、縦横に複数組み合わされた前記表示ユニットの１行分の領域を占める形状に形成されていることが好ましい。本発明の駐車場用表示装置においては、構造上表示ユニットの１行分を代替部材又は第二の代替部材にするか否かの選択をする可能性が高いので、代替部材又は第二の代替部材を１行分の領域を占める形状に形成することにより、代替部材又は第二の代替部材の設置が容易となる。
【手続補正６】
【補正対象書類名】明細書
【補正対象項目名】００２４
【補正方法】変更
【補正の内容】
【００２４】
また、図１及び図２に示すように、第一の実施形態においては、フレーム６に固定される蓋部材５において、窓部４の一部を覆うように、第二の代替部材として第二の板部材８ａが一体に形成されている。図２において、蓋部材５の表面の点線で囲まれている部分が第二の板部材８ａである。
【手続補正７】
【補正対象書類名】明細書
【補正対象項目名】００４９
【補正方法】変更
【補正の内容】
【００４９】
１…表示装置、２…表示ユニット、２ａ…ネジ穴、３…表示部、４…窓部、５…蓋部材、６…フレーム、７…保持部、７ａ…固定穴、８…板部材（代替部材）、８ａ…第二の板部材（第二の代替部材）、８ｂ…ネジ穴、９…保護板、１１…表示装置、１５…蓋部材。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
電子表示器を備えた正面視で矩形状の表示ユニットを、縦横に組み合わせて構成される表示部と、
複数の前記表示ユニットをそれぞれ着脱自在に保持する保持部と、
前記表示ユニットに替えて設置可能であり、前記表示ユニットよりも設置コストの低い代替部材と、
前記表示部の表面を覆う透明の窓部を有し、フレームに固定される蓋部材と、
前記保持部に取り付けられ、前記表示部の表面に設けられた透明の保護板とを備え、
前記表示ユニットが必要な箇所には、前記保持部の該当箇所に前記表示ユニットを固定すると共に、
前記表示ユニットが不要な箇所には、前記保持部に前記代替部材を装着することを特徴とする駐車場用表示装置。
【請求項２】
請求項１に記載の駐車場用表示装置であって、
前記代替部材は、前記表示ユニットと共通する固定構造を備え、前記保持部の前記表示ユニットの取り付け位置に固定されることを特徴とする駐車場用表示装置。
【請求項３】
請求項１又は２に記載の駐車場用表示装置であって、
前記代替部材は、縦横に複数組み合わされた前記表示ユニットの１行分の領域を占める形状に形成されていることを特徴とする駐車場用表示装置。
【請求項４】
電子表示器を備えた正面視で矩形状の表示ユニットを、縦横に組み合わせて構成される表示部と、
複数の前記表示ユニットをそれぞれ着脱自在に保持する保持部と、
前記表示部の表面を覆う透明の窓部を有し、フレームに固定される蓋部材と、
前記窓部の一部を覆うように設置され、前記表示ユニットよりも設置コストの低い第二の代替部材と、
前記保持部に取り付けられ、前記表示部の表面に設けられた透明の保護板とを備え、
前記表示ユニットが必要な箇所には、前記保持部の該当箇所に前記表示ユニットを固定すると共に、
前記第二の代替部材を、前記窓部の前記表示ユニットが固定されていない箇所を覆う部分に装着したことを特徴とする駐車場用表示装置。
【請求項５】
請求項４に記載の駐車場用表示装置であって、
前記第二の代替部材は、縦横に複数組み合わされた前記表示ユニットの１行分の領域を占める形状に形成されていることを特徴とする駐車場用表示装置。
【手続補正２】
【補正対象書類名】明細書
【補正対象項目名】００１０
【補正方法】変更
【補正の内容】
【００１０】
上記目的を達成するために、本発明の駐車場用表示装置は、電子表示器を備えた正面視で矩形状の表示ユニットを、縦横に組み合わせて構成される表示部と、複数の前記表示ユニットをそれぞれ着脱自在に保持する保持部と、前記表示ユニットに替えて設置可能であり、前記表示ユニットよりも設置コストの低い代替部材と、前記表示部の表面を覆う透明の窓部を有し、フレームに固定される蓋部材と、前記保持部に取り付けられ、前記表示部の表面に設けられた透明の保護板とを備え、前記表示ユニットが必要な箇所には、前記保持部の該当箇所に前記表示ユニットを固定すると共に、前記表示ユニットが不要な箇所には、前記保持部に前記代替部材を装着することを特徴とする。
【手続補正３】
【補正対象書類名】明細書
【補正対象項目名】００１４
【補正方法】変更
【補正の内容】
【００１４】
また、本発明の駐車場用表示装置は、電子表示器を備えた正面視で矩形状の表示ユニットを、縦横に組み合わせて構成される表示部と、複数の前記表示ユニットをそれぞれ着脱自在に保持する保持部と、前記表示部の表面を覆う透明の窓部を有し、フレームに固定される蓋部材と、前記窓部の一部を覆うように設置され、前記表示ユニットよりも設置コストの低い第二の代替部材と、前記保持部に取り付けられ、前記表示部の表面に設けられた透明の保護板とを備え、前記表示ユニットが必要な箇所には、前記保持部の該当箇所に前記表示ユニットを固定すると共に、前記第二の代替部材を、前記窓部の前記表示ユニットが固定されていない箇所を覆う部分に装着したことを特徴とする。
当該構成によれば、第二の代替部材を窓部に取り付けるシールや単なる板部材のような構成とすることができるので、簡易な構成でコストを低減させることができる。一方で、第二の代替部材は、窓部の内部に設けることも、窓部の外部に設けることも可能であり、駐車場のニーズに応じた対応が可能となる。